(57)【要約】【課題】マンコンベアの乗客に対して、より有益な情報を表示する。【解決手段】情報表示制御装置３ａは、マンコンベア制御装置４から出力された制御信号を入力すると、この制御信号に含まれるフラグに対応した文字情報を、メッセージ蓄積部３１から抽出する。メッセージ生成部３２は、メッセージ蓄積部３１から抽出した文字情報を表示画面生成部３４に出力する。表示画面生成部３４は、制御信号に含まれるフラグに対応した画像情報を、画像受信部３３から抽出する。表示画面生成部３４は、抽出した画像情報と、文字情報に基づいて、合成画面を生成し、表示部５ａに表示させる。【選択図】    図１
2004250192.tif 000002
【特許請求の範囲】
【請求項１】
マンコンベアに設けられる情報表示装置であって、
前記マンコンベアの周辺に設置された表示部と、
各種案内メッセージを文字情報と画像情報で関連付けて記憶した記憶手段と、
この記憶手段に記憶された各種案内メッセージを任意選択的に読み出し、その案内メッセージを文字情報と画像情報で前記表示部に所定の表示形態で表示する表示制御手段と
を具備したことを特徴とする情報表示装置。
【請求項２】
さらに、前記マンコンベアに乗客が接近したか否かを検出する検出部を備え、
前記表示制御手段は、前記検出部による検出結果に基づいて前記記憶手段から該当する案内メッセージを検索し、その案内メッセージを文字情報および画像情報で前記表示部に表示することを特徴とする請求項１に記載の情報表示装置。
【請求項３】
前記表示部は、複数のマンコンベアに共通に設置されており、
前記記憶手段に記憶された各種案内メッセージには、前記各マンコンベアに対応可能な特定の案内メッセージが含まれており、
前記表示制御手段は、前記記憶手段に記憶された前記特定の案内メッセージを文字情報および画像情報で前記表示部に表示することを特徴とする請求項１に記載の情報表示装置。
【請求項４】
前記記憶手段に記憶された各種案内メッセージには、避難時用の案内メッセージが含まれており、
前記表示制御手段は、避難時に、前記記憶手段から前記避難時用の案内メッセージを検索し、その案内メッセージを文字情報および画像情報で前記表示部に表示することを特徴とする請求項１に記載の情報表示装置。
【請求項５】
前記マンコンベアの出入り口付近に設置された昇降機を備え、前記記憶手段には、前記昇降機に関連する案内メッセージが含まれており、
前記表示制御手段は、前記昇降機の動作状態を示す情報に基づいて、前記記憶手段から該当する案内メッセージを検索し、その案内メッセージを文字情報および画像情報で前記表示部に表示することを特徴とする請求項１に記載の情報表示装置。
【発明の詳細な説明】
【０００１】
【発明の属する技術分野】
本発明は、例えばマンコンベアに搭載する情報表示装置に関する。
【０００２】
【従来の技術】
従来は、マンコンベアに関する案内メッセージを表示する情報表示装置としては、当該マンコンベアのデッキボード上に搭載されて、宣伝情報を表示するもの、または、表示灯などを用いて前記マンコンベアの運行情報を表示するものなどが知られている（例えば、特許文献１、特許文献２参照）。
【０００３】
【特許文献１】
特開平７−２４２３８５号公報
【０００４】
【特許文献２】
特開平９−２０８１７２号公報
【０００５】
【発明が解決しようとする課題】
しかしながら、このような情報表示装置では、文字情報と画像情報の双方を表示できない。つまり、マンコンベアの管理者が乗客に対して、きめ細かでかつ判りやすい情報提供を行う手段は無かった。
【０００６】
本発明は、前記課題に鑑みなされたもので、マンコンベアの乗客に、より有益な情報を表示することが可能な情報表示装置を提供することを目的とする。
【０００７】
【課題を解決するための手段】
すなわち、本発明の請求項１に係わる情報表示装置は、マンコンベアに設けられる情報表示装置であって、前記マンコンベアの周辺に設置された表示部と、各種案内メッセージを文字情報と画像情報で関連付けて記憶した記憶手段と、この記憶手段に記憶された各種案内メッセージを任意選択的に読み出し、その案内メッセージを文字情報と画像情報で前記表示部に所定の表示形態で表示する表示制御手段とを具備したことを特徴とする。
【０００８】
このような構成によれば、マンコンベアの各種案内メッセージを文字情報と画像情報で、所定の表示形態で表示部に表示することができるので、乗客対して、より分かりやすい情報を提供することができる。
【０００９】
また、本発明の請求項２に記載の情報表示装置は、請求項１に記載の情報表示装置であって、さらに、前記マンコンベアに乗客が接近したか否かを検出する検出部を備え、前記表示制御手段は、前記検出部による検出結果に基づいて前記記憶手段から該当する案内メッセージを検索し、その案内メッセージを文字情報および画像情報で前記表示部に表示することを特徴とする。
【００１０】
このような構成によれば、マンコンベアに接近した乗客に対して、マンコンベアの各種案内メッセージを文字情報と画像情報で、所定の表示形態で表示部に表示することができる
また、本発明の請求項３に記載の情報表示装置は、請求項１に記載の情報表示装置であって、前記表示部は、複数のマンコンベアに共通に設置されており、前記記憶手段に記憶された各種案内メッセージには、前記各マンコンベアに対応可能な特定の案内メッセージが含まれており、前記表示制御手段は、前記記憶手段に記憶された前記特定の案内メッセージを文字情報および画像情報で前記表示部に表示することを特徴とする。
【００１１】
このような構成によれば、乗客に対して、複数のマンコンベア用の各種案内メッセージを、共通に設置された表示部に所定の表示形態で表示することができる。
【００１２】
また、本発明の請求項４に記載の情報表示装置は、請求項１に記載の情報表示装置であって、前記記憶手段に記憶された各種案内メッセージには、避難時用の案内メッセージが含まれており、前記表示制御手段は、避難時に、前記記憶手段から前記避難時用の案内メッセージを検索し、その案内メッセージを文字情報および画像情報で前記表示部に表示することを特徴とする。
【００１３】
このような構成によれば、乗客に対して、避難時用の案内メッセージを、文字情報および画像情報で、所定の表示形態で表示することができる。
【００１４】
また、本発明の請求項５に記載の情報表示装置は、請求項１に記載の情報表示装置であって、前記マンコンベアの出入り口付近に設置された昇降機を備え、前記記憶手段には、前記昇降機に関連する案内メッセージが含まれており、前記表示制御手段は、前記昇降機の動作状態を示す情報に基づいて、前記記憶手段から該当する案内メッセージを検索し、その案内メッセージを文字情報および画像情報で前記表示部に表示することを特徴とする。
【００１５】
このような構成によれば、乗客に対して、昇降機に関連する案内メッセージを、文字情報および画像情報で、所定の表示形態で表示することができる。
【００１６】
【発明の実施の形態】
以下本発明の実施形態について図面を参照して説明する。
（第１の実施形態）
図１は、本発明の第１の実施形態に係るマンコンベアを設置した建物の外観の構成図である。
このマンコンベアの周辺には、表示部５ａと表示部５ｂが設置される。表示部５ａと表示部５ｂは、乗客に対する各種案内メッセージを表示する。案内メッセージとは、例えば、マンコンベアの昇降方向や、マンコンベアが設置されるフロアの展示物などを示すメッセージである。案内メッセージは、文字情報と画像情報に区分される。
【００１７】
図１に示すように、建物内には、マンコンベアが設置される。このマンコンベアの外観は、手すりベルト１３および欄干１４とにより構成される。
マンコンベアは、マンコンベア制御装置４を搭載する。マンコンベア制御装置４は、マンコンベアの、図示しない踏み段の動作を制御する。なお、マンコンベアにおける、踏み段の駆動機構などの構成については、本願の発明とは関係ないので、その説明を省略する。
マンコンベアは、踏み段の昇降方向を上部方向と下部方向に切り替えることが可能である。
【００１８】
マンコンベアは、センサ１７ａ，１７ｂを備える。センサ１７ａ，１７ｂは、マンコンベアの両端の出入り口にそれぞれ設置される。センサ１７ａ，１７ｂは、マンコンベア制御装置４と接続される。センサ１７ａ，１７ｂは、乗客がマンコンベアに接近したか否かを検出する。センサ１７ａ，１７ｂは、この検出結果を示す制御信号をマンコンベア制御装置４に出力する。
【００１９】
符号２は、メッセージ・スケジュールサーバである。メッセージ・スケジュールサーバ２は、文字情報を記憶する。文字情報は、案内メッセージ用の文字情報である。以下、メッセージ・スケジュールサーバ２を単にメッセージサーバ２と呼ぶ。メッセージサーバ２に記憶された文字情報は、所定のフォントおよびサイズなどの情報を含んでいる。メッセージサーバ２は、表示部５ａに表示させる文字情報および表示部５ｂに表示させる文字情報を記憶する。
【００２０】
符号１は、画像配信サーバである。画像配信サーバ１は、静止画および動画などの画像情報を記憶する。この画像情報は、既に説明した案内メッセージ用の画像情報である。画像情報の動画は、例えば、環境映像およびコマーシャル映像である。これら環境映像またはコマーシャル映像は、図示しない外部の映像配信サーバから取得した映像でもよい。画像配信サーバ１は、表示部５ａに表示させる画像情報および表示部５ｂに表示させる画像情報を記憶する。
【００２１】
メッセージサーバ２と画像配信サーバ１は、監視室１８に設置する。
符号３ａ，３ｂは情報表示制御装置である。情報表示制御装置３ａ，３ｂは、マンコンベア制御装置４、報知部１５および昇降機制御装置１６ａ〜１６ｄと接続される。
【００２２】
図１では、情報表示制御装置は、３ａ，３ｂのみを図示したが、建物内にマンコンベアをさらに複数設置する場合には、このマンコンベアの案内メッセージを表示させるための情報表示制御装置をメッセージサーバ２および画像配信サーバ１と接続する。この、新たに設置する情報表示制御装置は、新たに設置したマンコンベア制御装置に接続することはもちろんである。また、新たに設置する情報表示制御装置に、新たに表示部を接続することはもちろんである。
【００２３】
また、情報表示制御装置３ａは、表示部５ａと接続される。情報表示制御装置３ｂは、表示部５ｂと接続される。表示部５ａ，５ｂは、乗客にとって見やすい場所に設置する。見やすい場所とは、例えば、マンコンベアの出入り口の真上や手前である。
【００２４】
報知部１５は、例えば火災や地震などの災害などにより、マンコンベアの乗客の避難が必要となった場合に、これを情報表示制御装置３ａ，３ｂに伝える。報知部１５は、例えば、火災や地震などの災害情報を報知するための非常警報装置である。なお、報知部１５の代わりに、ビル監視システムに搭載される、自動検出装置を用いてもよい。昇降機制御装置１６ａ〜１６ｄは、マンコンベアの出入り口付近に設置された各昇降機の昇降制御をする。昇降機制御装置１６ａ〜１６ｄは、各制御対象の昇降機の現在の階床および昇降方向の情報を取得して、情報表示制御装置３ａ，３ｂに逐次出力する。
【００２５】
マンコンベア制御装置４は、状況に応じて、例えば“１”または“２”のフラグを有する制御信号を情報表示制御装置３ａ，３ｂに出力する。また、報知部１５は、必要に応じて、例えば“３”のフラグを有する制御信号を情報表示制御装置３ａ，３ｂに出力する。なお、本実施形態では、フラグとして、“１”〜“３”を用いたが、これに限らず、別の種類の識別符号を用いても差し支えない。
【００２６】
情報表示制御装置３ａ，３ｂは、メッセージサーバ２から文字情報を受け取る。また、情報表示制御装置３ａ，３ｂは、画像配信サーバ１から画像情報を受け取る。
【００２７】
情報表示制御装置３ａ，３ｂは、これら受け取った文字情報や画像情報を、所定の表示形態で表示部５ａ，５ｂに表示させる。表示形態とは、表示部５ａ，５ｂの画面上における文字情報および画像情報の表示スペースおよび配置レイアウトである。これら表示スペースおよびレイアウトは、常に固定であってもよいし、文字情報のボリュームなどにしたがって自動的に変更する形態であってもよい。
【００２８】
図２は、図１に示した情報表示制御装置３ａの内部構成を示すブロック図である。
図２に示すように、情報表示制御装置３ａは、メッセージ蓄積部３１、メッセージ生成部３２、画像受信部３３および表示画面生成部３４を備える。
メッセージ蓄積部３１は、メッセージサーバ２に記憶される文字情報を取得して蓄積するバッファメモリである。画像受信部３３は、画像配信サーバ１に記憶される画像情報を取得して蓄積するバッファメモリである。
【００２９】
メッセージ生成部３２および表示画面生成部３４は、マンコンベア制御装置４、報知部１５および昇降機制御装置１６ａ〜１６ｄと接続される。マンコンベア制御装置４および報知部１５から出力された制御信号は、所定のフラグを有している。また、昇降機制御装置１６ａ〜１６ｄから出力された制御信号は、昇降機に関連する情報を含んでいる。昇降機に関連する情報については後述する。
【００３０】
既に説明したフラグとは、案内メッセージの種別を選択するための情報である。案内メッセージの種別とは、例えば、マンコンベアの通常使用時に表示させるメッセージ、または災害発生時に表示させるメッセージなどである。フラグは、案内メッセージの文字情報と画像情報とを関連付ける。つまり、特定の文字情報と特定の画像情報とを同一のフラグで関連付けることによって、これら特定の文字情報と特定の画像情報を対にする。
【００３１】
メッセージ生成部３２は、マンコンベア制御装置４または報知部１５から出力された制御信号に含まれるフラグと、案内メッセージ用の文字情報とを関連付けたテーブルを記憶する。このテーブルの一例を図３に示す。
【００３２】
図３に示したテーブルでは、例えば、フラグ“１”と、文字情報“メッセージ１：上りのエスカレータをご利用いただけます。そのままお進みください”とが対応付けられる。表示部５ａに表示される文字情報は、“上りのエスカレータをご利用いただけます。そのままお進みください”の部分である。
【００３３】
メッセージ生成部３２は、このテーブルにしたがって、メッセージ蓄積部３１から必要なデータを検索して抽出する。例えば、マンコンベアが、上部方向、つまりセンサ１７ａが設置されるフロアからセンサ１７ｂが設置されるフロアに向かって動作しており、また、メッセージ生成部３２に、図３に示したテーブルが記憶されており、マンコンベア制御装置４から“１”のフラグを有する制御信号が入力された場合には、メッセージ生成部３２は、文字情報“上りのエスカレータをご利用いただけます。そのままお進みください”をメッセージ蓄積部３１から抽出する。
【００３４】
表示画面生成部３４は、マンコンベア制御装置４または報知部１５から出力された制御信号に含まれるフラグと、案内メッセージ用の画像情報とを関連付けたテーブルを記憶する。このテーブルの一例を図６に示す。
【００３５】
表示画面生成部３４は、このテーブルにしたがって、画像受信部３３から必要なデータを検索して抽出する。例えば、マンコンベアが、上部方向、つまりセンサ１７ａが設置されるフロアからセンサ１７ｂが設置されるフロアに向かって動作しており、また、表示画面生成部３４に、図６に示したテーブルが記憶されており、マンコンベア制御装置４から“１”のフラグを有する制御信号が入力された場合には、表示画面生成部３４は、“昇降案内画像１”と“環境映像”に対応する画像情報を画像受信部３３から抽出する。
【００３６】
図３のテーブルに定義づけられた“メッセージ１”および“メッセージ２”は、メッセージ生成部３２が、マンコンベア制御装置４による制御信号を取得した場合に抽出する文字情報である。また、同じく図３のテーブルに定義づけられた“メッセージ３”は、報知部１５による制御信号を取得した場合に抽出する文字情報である。
【００３７】
また、図６のテーブルに定義づけられた“昇降案内画像１”、“進行禁止用画像”および“環境映像”は、表示画面生成部３４が、マンコンベア制御装置４による制御信号を取得した場合に抽出する画像情報である。また、同じく図６のテーブルに定義づけられた“避難指示用画像”および“避難経路案内画像”は、報知部１５による制御信号を取得した場合に抽出する画像情報である。
【００３８】
情報表示制御装置３ｂの内部構成は、図２に示した内容と同様である。ただし、メッセージ生成部３２および画像受信部３３に記憶されるテーブルは、表示部５ｂに表示させる案内用メッセージに対応したものである。本実施形態では、情報表示制御装置３ｂには、図３および図６に示したテーブルを、メッセージ生成部３２および画像受信部３３にそれぞれ記憶する。
【００３９】
図１１（ａ）および（ｂ）は、表示部５ａの設置位置の例を示す図である。
図１１（ａ）に示す例では、表示部５ａをマンコンベアの乗り込み口の頭上に設置する。この位置は、乗客がマンコンベアから離れた位置に立っている場合でも表示部５ａを見やすい位置である。
図１１（ｂ）に示す例では、２台並べて設置したマンコンベアの間に表示部５ａを設置する。この位置に表示部５ａを設置すると、当該表示部５ａの設置スペースの節約を図ることができ、また、１つの表示部で、２台のマンコンベアの乗客に対する案内メッセージを表示することができる。
【００４０】
また、２台のマンコンベアの間、つまり、マンコンベアの手すりベルト１３の前に表示部５を設置する事によって、手すりベルト１３の付近での事故を減らす事ができる。
【００４１】
次に前記実施形態の動作について説明する。
第１実施形態では、単一のマンコンベアを建物内に設置している。マンコンベアは、上部方向、つまりセンサ１７ａが設置されるフロアからセンサ１７ｂが設置されるフロアに向かって動作しているとする。ここでは、図２に示したメッセージ生成部３２には、図３に示したテーブルが記憶される。また、表示画面生成部３４には、図６に示したテーブルが記憶される。
メッセージサーバ２に記憶された文字情報は、メッセージ蓄積部３１にそのまま出力されて記憶される。また、画像配信サーバ１に記憶された画像情報は、画像受信部３３にそのまま出力されて記憶される。
【００４２】
マンコンベア制御装置４を操作してマンコンベアを動作させると、当該マンコンベア制御装置４から情報表示制御装置３ａに、“１”のフラグを有した制御信号が出力される。また、マンコンベア制御装置４から情報表示制御装置３ｂには、“２”のフラグを有した制御信号が出力される。
【００４３】
情報表示制御装置３ａのメッセージ生成部３２は、マンコンベア制御装置４から出力された制御信号を入力すると、この制御信号に含まれるフラグ“１”と、テーブル（図３参照）とを照合する。そして、フラグ“１”に対応した文字情報“メッセージ１：上りのエスカレータをご利用いただけます。そのままお進みください。”を、メッセージ蓄積部３１から抽出する。
メッセージ生成部３２は、メッセージ蓄積部３１から抽出した文字情報を表示画面生成部３４に出力する。
【００４４】
表示画面生成部３４は、マンコンベア制御装置４から出力された制御信号を入力すると、この制御信号に含まれるフラグ“１”と、テーブル（図６参照）とを照合する。そして、フラグ“１”に対応した左端部画像情報“昇降案内画像１”と、中央部画像情報“環境映像”を、画像受信部３３から抽出する。
【００４５】
表示画面生成部３４は、この抽出した画像情報と、メッセージ生成部３２から出力された文字情報に基づいて、合成画面を生成する。合成画面は、文字情報と画像情報を、所定の表示形態に従って１つの画面上に表示させた画面である。
表示画面生成部３４は、この生成した画面を、表示部５ａに表示させる。
【００４６】
図１３は、第１の実施形態において、表示部５ａに表示される合成画面の一例である。
符号８ａは、“メッセージ１：上りのエスカレータをご利用いただけます。そのままお進みください。”に対応する、案内メッセージの文字情報である。符号１２は、“昇降案内画像１”に対応する、案内メッセージの画像情報である。また、符号７は、“環境映像”に対応する、案内メッセージの画像情報を表示する領域を示す。
これにより、乗客は、マンコンベアが、上り方向に利用出来る事を、文字情報および画像情報の双方により認識することができる。
【００４７】
また、情報表示制御装置３ｂのメッセージ生成部３２は、マンコンベア制御装置４から出力された制御信号を入力すると、この制御信号に含まれるフラグ“２”と、テーブル（図３参照）とを照合する。そして、フラグ“２”に対応した文字情報“メッセージ２：こちら側からはご利用できません。右側の通路をご利用ください。”を、メッセージ蓄積部３１から抽出する。
メッセージ生成部３２は、メッセージ蓄積部３１から抽出した文字情報を表示画面生成部３４に出力する。
【００４８】
表示画面生成部３４は、マンコンベア制御装置４から出力された制御信号を入力すると、このフラグ“２”と、テーブル（図６参照）とを照合する。そして、フラグ“２”に対応した左端部画像情報“進行禁止用画像”と中央部画像情報“環境映像”を、画像受信部３３から抽出する。フラグ“２”に対応した中央部画像情報は、乗客の代替通路の案内図を示す画像情報としてもよい。この場合、この画像情報を画像配信サーバ１に予め記憶させておき、表示画面生成部３４に記憶されるテーブル（図６参照）において、フラグ“２”に対応した中央部画像情報として、代替通路の案内図を示す画像情報を関連付ける。
【００４９】
表示画面生成部３４は、この抽出した画像情報と、メッセージ生成部３２から出力された文字情報に基づいて、合成画面を生成する。表示画面生成部３４は、この生成した合成画面を、表示部５ｂに表示させる。
【００５０】
図１２は、第１の実施形態において、表示部５ｂに表示される合成画面の一例である。
符号８ｂは、“メッセージ２：こちら側からはご利用できません。右側の通路をご利用ください。”に対応する、案内メッセージの文字情報である。符号６ａは、“進行禁止用画像”に対応する、案内メッセージの画像情報である。また、符号７は、“環境映像”に対応する、案内メッセージの画像情報を表示する領域を示す。
これにより、乗客は、乗ろうとしたマンコンベアが使用できないことを、文字情報および画像情報の双方により認識することができる。
【００５１】
また、報知部１５が作動すると、“３”のフラグを有する制御信号が、情報表示制御装置３ａおよび３ｂに出力される。
【００５２】
情報表示制御装置３ａのメッセージ生成部３２は、報知部１５から出力された制御信号を入力すると、この制御信号に含まれるフラグ“３”と、テーブル（図３参照）とを照合する。そして、フラグ“３”に対応した文字情報“メッセージ３：避難警報が出ました。現在このエスカレータはご利用できません。速やかに避難してください。”を、メッセージ蓄積部３１から抽出する。
メッセージ生成部３２は、メッセージ蓄積部３１から抽出した文字情報を表示画面生成部３４に出力する。
【００５３】
表示画面生成部３４は、報知部１５から出力された制御信号を入力すると、このフラグ“３”と、テーブル（図６参照）とを照合する。そして、フラグ“３”に対応した左端部画像情報“避難指示用画像”と中央部画像情報“避難経路案内画像１”を、画像受信部３３から抽出する。“避難経路案内画像１”は、例えば、現在位置から非常口までの避難経路を示す画像情報である。
【００５４】
表示画面生成部３４は、この抽出した画像情報と、メッセージ生成部３２から取得した文字情報に基づいて、合成画面を生成する。表示画面生成部３４は、この生成した合成画面を、表示部５ａに表示させる。
【００５５】
情報表示制御装置３ｂは、情報表示制御装置３ａと同様に、制御信号のフラグ“３”に対応した文字情報と画像情報を抽出して、合成画面を生成し、これを、表示部５ｂに表示させる。
【００５６】
図１６は、第１の実施形態において、表示部５ａに表示される合成画面の一例である。
符号８ｅは、“メッセージ３：避難警報が出ました。現在このエスカレータはご利用できません。速やかに避難してください。”に対応する、案内メッセージの文字情報である。符号６ｂは、“避難指示用画像”に対応する、案内メッセージの画像情報である。また、符号９ｂは、“避難経路案内画像１”に対応する、案内メッセージの画像情報を示す。
これにより、乗客は、災害による避難の必要性を、文字情報および画像情報の双方により認識することができる。
【００５７】
本実施形態では、表示部５ａの設置フロアと表示部５ｂの設置フロアの避難経路は同一であるとする。各フロアの避難経路が異なる場合には、表示部５ａに接続される情報表示制御装置３ａの表示画面生成部３４に記憶されるテーブル（図６参照）の所定の領域において、フラグ“３”と、表示部５ａの設置フロアの避難経路に対応する画像情報を記憶させる。所定の領域とは、フラグ“３”に対応する中央部画像情報の領域である。そして、情報表示制御装置３ｂの表示画面生成部３４に記憶されるテーブル（図６参照）に所定の領域に、表示部５ｂの設置フロアの避難経路に対応する画像情報を記憶させる。
【００５８】
また、マンコンベア制御装置４を停止させて、マンコンベアを停止させると、情報表示制御装置３ａ，３ｂの電源が遮断され、表示部５ａ，５ｂによる画面表示が停止する。これにより、マンコンベアを停止させている場合の無駄な電力消費を無くすことが出来る。
【００５９】
なお、マンコンベアが、下部方向、つまりセンサ１７ｂが設置されるフロアからセンサ１７ａが設置されるフロアに向かって動作している場合には、メッセージ生成部３２に図示しない他のテーブルを予め記憶させ、表示画面生成部３４に、図示しない他のテーブルを予め記憶させた上で、マイコンベア制御装置４は、所定のフラグを有する制御信号を情報表示制御装置３ａ，３ｂに出力する。メッセージ生成部３２は、制御信号のフラグとテーブルとを照合して、案内メッセージの文字情報を抽出する。表示画面生成部３４は、制御信号のフラグとテーブルとを照合して、案内メッセージの画像情報を抽出する。以降の処理は、マンコンベアが、上部方向に向かって動作している場合のそれと同様である。
【００６０】
（第２の実施形態）
次に本発明の第２の実施形態について説明する。
なお、この実施形態に係る構成は、第１実施形態のそれと基本的にほぼ同様であるので、同一部分については同一の符号を用いて、その説明は省略する。
第２実施形態では、図１に示したマンコンベアが動作している場合に、当該マンコンベアの使用の可否を知らせる案内メッセージの代わりに、建物内の情報を伝える案内メッセージを表示する。建物内の情報とは、例えば、建物内の特定のフロアの展示物の情報である。
【００６１】
なお、第２実施形態では、第１の実施形態と異なり、図２に示したメッセージ生成部３２には、図４に示したテーブルが記憶される。また、表示画面生成部３４には、図７に示したテーブルが記憶される。
【００６２】
情報表示制御装置３ａのメッセージ生成部３２は、制御信号を入力すると、このフラグ“１”と、テーブル（図４参照）とを照合する。そして、フラグ“１”に対応した文字情報“メッセージ１：Ａ物産展を７階イベントホールで開催中。こちらのエスカレータから行けます。”を、メッセージ蓄積部３１から抽出する。
【００６３】
メッセージ生成部３２は、メッセージ蓄積部３１から抽出した文字情報を表示画面生成部３４に出力する。
【００６４】
表示画面生成部３４は、制御信号を入力すると、このフラグ“１”と、テーブル（図７参照）とを照合する。そして、フラグ“１”に対応した左端部画像情報“昇降案内画像１”および中央部画像情報“フロア案内画像１”を、画像受信部３３から抽出する。“フロア案内画像１”は、例えば、次のフロアの道順案内図を示す画像情報である。
以降の、合成画面を生成して表示させる処理は第１の実施形態のそれと同様である。
【００６５】
図１４は、第２の実施形態において、表示部５ａに表示される合成画面である。
符号８ｃは、“メッセージ１：Ａ物産展を７階イベントホールで開催中。こちらのエスカレータから行けます。”に対応する、案内メッセージの文字情報である。符号１２は、“昇降案内画像１”に対応する、案内メッセージの画像情報である。また、符号９ａは、“フロア案内画像１”に対応する、案内メッセージの画像情報を表示する領域である。
【００６６】
これにより、乗客は、マンコンベアに乗る場合に、このマンコンベアの昇降方向と建物内の情報を、文字情報および画像情報の双方により認識することができる。
【００６７】
（第３の実施形態）
次に本発明の第３の実施形態について説明する。
なお、この実施形態に係る構成は、第１実施形態のそれと基本的にほぼ同様であるので、同一部分については同一の符号を用いて、その説明は省略する。
第３の実施形態では、第１実施形態と異なり、図１１（ｂ）に示すように、マンコンベアを２台並べて設置し、これらのマンコンベアの間に表示部５ａを設置する。つまり、第３の実施形態では、２台のマンコンベアの乗客に対する案内メッセージを１つの表示部に表示させる。
【００６８】
第３の実施形態では、２つのマンコンベアのそれぞれに搭載されるマンコンベア制御装置４が、ともに、情報表示制御装置３ａ，３ｂに接続される。つまり、情報表示制御装置３ａは、２台並んだマンコンベアの一端の出入り口に設置された表示部５ａの表示を制御する。また、報表示制御装置３ｂは、２台並んだマンコンベアの他端の出入り口（図示せず）に設置された表示部５ｂの表示を制御する。
【００６９】
第３の実施形態では、２台並んだマンコンベアのうち、左側のマンコンベアは、表示部５ａが設けられたフロア（自フロア）を基準として、自フロアから１つ上のフロアに向かって昇降する。また、右側のマンコンベアは、自フロアから１つ下のフロアに向かって昇降する。
【００７０】
第３の実施形態では、第２の実施形態と同様に、建物内の情報を伝える案内メッセージを表示する。
なお、第３実施形態では、第１の実施形態と異なり、図２に示した、メッセージ生成部３２には、図５に示したテーブルが記憶される。また、表示画面生成部３４には、図８に示したテーブルが記憶される。
【００７１】
情報表示制御装置３ａのメッセージ生成部３２は、２台のマンコンベアの双方からそれぞれ出力された制御信号をともに入力すると、このフラグ“１”と、テーブル（図５参照）とを照合する。そして、フラグ“１”に対応した文字情報“メッセージ１：Ａ物産展を７階イベントホールで開催中。後方のエレベータで行くのが便利です。）を、メッセージ蓄積部３１から抽出する。
メッセージ生成部３２は、メッセージ蓄積部３１から抽出した文字情報を表示画面生成部３４に出力する。
【００７２】
表示画面生成部３４は、制御信号を入力すると、このフラグ“１”と、テーブル（図８参照）とを照合する。そして、フラグ“１”に対応した左端部画像情報“昇降案内画像１”、中央部画像情報“フロア案内画像１”および右端部画像情報“昇降案内画像２”を、画像受信部３３から抽出する。“昇降案内画像１”は、２台並んだ左側のマンコンベアの昇降方向を示す画像情報である。“昇降案内画像２”は、２台並んだ右側のマンコンベアの昇降方向を示す画像情報である。
【００７３】
以降の、合成画面を生成して表示させる処理は第１の実施形態のそれと同様である。
【００７４】
図１５は、第３の実施形態において、表示部５ａに表示される合成画面の一例である。
符号８ｄは、“メッセージ１：Ａ物産展を７階イベントホールで開催中。後方のエレベータで行くのが便利です。”に対応する、案内メッセージの文字情報である。符号１１は、“昇降案内画像２”に対応する、案内メッセージの画像情報である。
これにより、乗客は、２台並んで設置されたマンコンベアのうちいずれかに乗る場合に、それぞれのマンコンベアの昇降方向および建物内の情報を、文字情報および画像情報の双方により認識することができる。
【００７５】
第３の実施形態では、センサ１７ａ，１７ｂが、マンコンベアに乗客が接近したことを検出した場合、このマンコンベアが利用可能である旨を伝える案内メッセージを表示する。
【００７６】
具体的には、センサ１７ａ，１７ｂは、乗客の接近を検出すると、制御信号をマンコンベア制御装置４に出力する。マンコンベア制御装置４は、センサ１７ａから制御信号を入力した場合には、フラグ“２”を有する制御信号を情報表示制御装置３ａに出力する。また、マンコンベア制御装置４は、センサ１７ｂから制御信号を入力した場合には、フラグ“２”を有する制御信号を情報表示制御装置３ｂに出力する。
【００７７】
情報表示制御装置３ａのメッセージ生成部３２は、マンコンベア制御装置４から出力された制御信号を入力すると、この制御信号に含まれるフラグ“２”と、テーブル（図５参照）とを照合する。そして、フラグ“２”に対応した文字情報“メッセージ２：こちらのエスカレータをご利用いただけます。このままお進み下さい。”を、メッセージ蓄積部３１から抽出する。
【００７８】
メッセージ生成部３２は、メッセージ蓄積部３１から抽出した文字情報を表示画面生成部３４に出力する。
表示画面生成部３４は、マンコンベア制御装置４から出力された制御信号を入力すると、このフラグ“２”と、テーブル（図８参照）とを照合する。そして、フラグ“２”に対応した左端部画像情報“昇降案内画像１”、中央部画像情報“フロア案内画像１”および右端部画像情報“昇降案内画像２”を、画像受信部３３から抽出する。
【００７９】
以降の、合成画面を生成して表示する処理は第１の実施形態のそれと同様である。
【００８０】
これにより、２台並んだマンコンベアのうち、いずれかのマンコンベアに乗ろうとした場合に、このマンコンベアが利用可能であることを示す案内メッセージを、文字情報および映像情報の双方により伝えることができる。
【００８１】
（第４の実施形態）
次に本発明の第４の実施形態について説明する。
なお、この実施形態に係る構成は、第１実施形態のそれと基本的にほぼ同様であるので、同一部分については同一の符号を用いて、その説明は省略する。
第４実施形態では、図１に示したマンコンベアが動作している場合に、かご情報を示すメッセージを表示する。かご情報とは、マンコンベアから降りたフロア付近の複数のエレベータ乗り場に最も早く到着するかごの情報である。
【００８２】
なお、第４の実施形態では、第１の実施形態と異なり、図２に示した、メッセージ生成部３２には、図９に示したテーブルが記憶される。また、表示画面生成部３４には、図１０に示したテーブルが記憶される。
【００８３】
図１に示した、昇降機制御装置１６ａ〜１６ｄは、かご内で、所定のフロア（マンコンベアから降りたフロア）への行先指定がなされた場合、また、マンコンベアから降りるフロアのエレベータ乗り場の前に立っている乗客により、乗り場呼びがなされた場合に、制御信号を情報表示制御装置３ａ，３ｂに逐次出力する。制御信号には、昇降機制御装置１６ａ〜１６ｄに対応するかごの識別番号（かごナンバ）、各かごの現在の階床および各かごの昇降方向の情報が含まれる。
【００８４】
第４の実施形態では、昇降機制御装置１６ａ〜１６ｄが制御するかごのナンバを“１”〜“４”とする。かごナンバ“１”に対応するエレベータ乗り場は、マンコンベアから降りたフロアの乗り場の左端部に位置する。また、昇降機ナンバ“２”〜“４”の昇降機は、昇降機ナンバ“１”の昇降機の右手方向に順次設置される。
【００８５】
図１に示す情報表示制御装置３ａのメッセージ生成部３２は、昇降機制御装置１６ａ〜１６ｄから逐次出力された制御信号に含まれるそれぞれの階床情報を認識し、この階床情報に示される階床が、所定の階床範囲にあり、かつマンコンベアから降りたフロアに最も近い階床に対応するかごのナンバを判別する。
本実施形態において、マンコンベアから降りたフロア（階床Ｆ）は３階である。また、本実施形態において、所定の階床範囲とは、１階〜２階および４階〜６階である。
【００８６】
判別したかごナンバが“２”であった場合には、メッセージ生成部３２は、かごナンバ“２”のかごの階床と昇降方向が所定の条件と一致しているかどうかを判別する。所定の条件とは、ここでは、かごの階床が１階〜２階である場合には上り方向に昇降していること、または、かごの階床が４階〜６階である場合には下り方向に昇降していることのいずれかである。
【００８７】
階床と昇降方向の条件を満たしている場合には、メッセージ生成部３２は、かごナンバ“２”とテーブル（図９参照とを）とを照合する。例えば、３階に最も接近しているかごのナンバが“２”であり、階床が１階≦２階であり、昇降方向が上り方向である場合には、文字情報“２番乗場に上りのエレベータがまいります“を、メッセージ蓄積部３１から抽出する。
メッセージ生成部３２は、メッセージ蓄積部３１から抽出した文字情報を表示画面生成部３４に出力する。
【００８８】
表示画面生成部３４は、制御信号を入力すると、メッセージ生成部３２と同様に、接近しているかごのかごナンバ“２”と、所定の条件への一致または不一致を判別する。そして、この判別結果にしたがって、かごナンバ“２”と、テーブル（図１０参照）とを照合する。そして、かごナンバ“２”と、条件（１≦Ｆ≦２、上り方向）に対応した左端部画像情報“昇降案内画像１”および中央部画像情報“昇降機画像３”を、画像受信部３３から抽出する。“昇降機画像３”は、かごナンバ“３”のかごが上り方向に昇降していることを示す画像情報である。
以降の、合成画面を生成して表示する処理は第１の実施形態のそれと同様である。
【００８９】
図１７は、第４の実施形態において、表示部５ａに表示される合成画面の一例である。
符号８ｆは、文字情報“２番乗場に上りのエレベータがまいります。”に対応する、案内メッセージの文字情報である。符号１２は、“昇降案内画像１”に対応する、案内メッセージの画像情報である。符号９ｃは、“昇降機画像３”に対応する、案内メッセージの画像情報である。
【００９０】
これにより、マンコンベアの乗客は、このマンコンベアから降りたフロアのエレベータ乗り場にどのエレベータが接近していることを、文字情報と映像情報の双方により認識することができる。
【００９１】
このように、本実施形態によれば、映像や、静止画、文字などの情報を全て表示する表示部をマンコンベアに設けることにより、マンコンベアの使用の可否、建屋内のイベントの道案内または他の移動手段との乗り換え案内などを表示する事により、乗客の利便を図ると共に、人の流れを誘導し、混雑の緩和に役立たせることが出来る。
【００９２】
また、案内だけでなく、同時にアニメーションや環境映像等を流す事により乗客の注目を表示部に集めやすくなり、設備の管理者が意図した情報を容易に伝えられる様になる。
【００９３】
また、図１１（ｂ）に示したように、２台のマンコンベアの情報を１台の表示部に纏める事で設置スペースの節約を図ると共に、マンコンベアを利用する乗客にどの表示装置を見るべきかという迷いを起こさせない様にすることができる。
【００９４】
なお、本発明は前記実施形態に限定されるものではなく、実施段階ではその要旨を逸脱しない範囲で種々に変形することが可能である。更に、前記実施形態には、種々の段階の発明が含まれており、開示される複数の構成要件における適宣な組み合わせにより種々の発明が抽出され得る。例えば、前記実施形態で示される全構成要件から幾つかの構成要件が削除されても、「発明が解決しようとする課題」で述べた課題が解決でき、「発明の効果」の欄で述べられている効果が得られる場合には、この構成要件が削除された構成が発明として抽出されうる。
【００９５】
【発明の効果】
以上のように、本発明によれば、案内メッセージを、文字情報と画像情報で、所定の表示形式で表示させることになるので、マンコンベアの乗客に対して有益な情報を効果的に表示することができるようになる。
【図面の簡単な説明】
【図１】本発明の第１の実施形態に係るマンコンベアを設置した建物の外観の構成図。
【図２】図１に示した情報表示制御装置の内部構成を示すブロック図。
【図３】図２に示したメッセージ生成部に記憶されるテーブル（その１）。
【図４】図２に示したメッセージ生成部に記憶されるテーブル（その２）。
【図５】図２に示したメッセージ生成部に記憶されるテーブル（その３）。
【図６】図２に示した表示画面生成部に記憶されるテーブル（その１）。
【図７】図２に示した表示画面生成部に記憶されるテーブル（その２）。
【図８】図２に示した表示画面生成部に記憶されるテーブル（その３）。
【図９】図２に示したメッセージ生成部に記憶されるテーブル（その４）。
【図１０】図２に示した表示画面生成部に記憶されるテーブル（その４）。
【図１１】図１に示した表示部の設置位置の例を示す図。
【図１２】図１に示した表示部に表示される画面（その１）。
【図１３】図１に示した表示部に表示される画面（その２）。
【図１４】図１に示した表示部に表示される画面（その３）。
【図１５】図１に示した表示部に表示される画面（その４）。
【図１６】図１に示した表示部に表示される画面（その５）。
【図１７】図１に示した表示部に表示される画面（その６）。
【符号の説明】
１・・・画像配信サーバ、２・・・メッセージ・スケジュールサーバ、３ａ，３ｂ・・・情報表示制御装置、４・・・マンコンベア制御装置、５ａ，５ｂ・・表示部、６ａ・・・進行禁止用画像、６ｂ・・・避難指示用画像、７・・・表示部画面中央部、８ａ〜８ｄ・・・文字情報、９ａ〜９ｃ・・・表示部画面中央部に表示する画像、１１，１２・・・昇降案内用の画像、１３・・・手すりベルト、１４・・・欄干、１５・・・報知部、１６ａ〜１６ｄ・・・昇降機制御装置、１７ａ，１７ｂ・・センサ、１８・・・監視室、３１・・・メッセージ蓄積部、３２・・・メッセージ生成部、３３・・・画像受信部、３４・・・表示画面生成部。
【図１】
2004250192.tif 000003
【図２】
2004250192.tif 000004
【図３】
2004250192.tif 000005
【図４】
2004250192.tif 000006
【図５】
2004250192.tif 000007
【図６】
2004250192.tif 000008
【図７】
2004250192.tif 000009
【図８】
2004250192.tif 000010
【図９】
2004250192.tif 000011
【図１０】
2004250192.tif 000012
【図１１】
2004250192.tif 000013
【図１２】
2004250192.tif 000014
【図１３】
2004250192.tif 000015
【図１４】
2004250192.tif 000016
【図１５】
2004250192.tif 000017
【図１６】
2004250192.tif 000018
【図１７】
2004250192.tif 000019